(57)【要約】      （修正有）【課題】設置する機器の内部構造に係わることなく、簡単な構成で高さや傾きの調整を可能にするとともに、コンパクト化を図り、携行性に優れた位置調整装置を提供する。【解決手段】プロジェクタ２の位置調整機構１であって、プロジェクタ２を下方より支持するとともに所定位置に設置するベース３と、プロジェクタ２をベース３上で保持するとともに正面視でプロジェクタ２を左右に傾倒可能とし、且つ、正面側を上下方向に傾向可能としたチルト可動台４と、チルト可動台４に設けられ、チルト可動台４の変位動作をガイドするチルトガイド５と、プロジェクタ２をチルト可動台４とともに略水平に回動する回転台６と、ベース３上でプロジェクタ２を昇降する昇降台７および該昇降台７を駆動する昇降駆動軸８を備えたことを特徴とするものとする。【選択図】図１
2005181634.tif 000002
【特許請求の範囲】
【請求項１】
支持対象物に設けられ該支持対象物の姿勢を調整する位置調整機構であって、
支持対象物を下方より支持するとともに設置するための支持体と、
前記支持体上で前記支持対象物を保持するとともに、正面視で該支持対象物を左右に傾倒可能とし、且つ、正面側を上下方向に傾向可能とした支持対象物可動手段と、
前記支持対象物可動手段に設けられ、該支持対象物可動手段の変位動作をガイドするためのガイド手段と、
前記支持対象物を前記支持対象物可動手段とともに略水平に回動する支持対象物回動手段とを備えたことを特徴とする位置調整機構。
【請求項２】
前記支持対象物可動手段は、前記ガイド手段の移動をガイドするガイド孔が形成されたことを特徴とする請求項１に記載の位置調整機構。
【請求項３】
前記位置調整機構は、前記支持体上で支持対象物を昇降する支持対象物昇降手段を備えたことを特徴とする請求項１または２に記載の位置調整機構。
【請求項４】
前記支持対象物昇降手段は、支持対象物とともに支持対象物可動手段を移動可能に保持する昇降台と、前記昇降台を昇降するための昇降駆動部とを備えたことを特徴とする請求項３に記載の位置調整機構。
【請求項５】
前記昇降台は、支持対象物可動手段と対向する部分が略球面状で外側に膨出した形状に形成され、
前記支持対象物可動手段は、前記昇降台と対向する部分が該昇降台の対向する部分と同じ曲率で凹状に形成されたことを特徴とする請求項４に記載の位置調整機構。
【請求項６】
前記昇降台は、前記ガイド手段の移動をガイドするためのガイド孔が設けられ、
前記ガイド手段は、前記昇降台のガイド孔に沿って移動可能としたことを特徴とする請求項４または５に記載の位置調整機構。
【請求項７】
前記ガイド孔は、平面視で前記支持対象物可動手段に形成されたガイド孔と略垂直方向に沿った方向で形成されたことを特徴とする請求項６に記載の位置調整機構。
【請求項８】
前記昇降駆動部は、該昇降駆動部が支持対象物可動手段およびガイド手段と干渉しない位置まで昇降台を上昇可能としたことを特徴とする請求項４乃至７のうちの何れか一項に記載の位置調整機構。
【発明の詳細な説明】
【技術分野】
【０００１】
本発明は、位置調整機構に関し、特に、プロジェクタなどの電子機器類の傾きや高さを調節する位置調整機構に関するものである。
【背景技術】
【０００２】
従来、プロジェクタなどの電子機器類を床やテーブルなどに接地する際に、機器類の水平を出したり所定の姿勢に設置するために、機器類の傾きや高さを調節する必要がある場合がある。そこで、簡便な作業で機器の高さ調整が行えるように、機器に位置調整機構を設けたものが知られている。
【０００３】
例えば、位置調整機構として、外装ケースにピストン部を有する脚部材を外部に突出可能に収納した調整脚を構成し、該調整脚を機器に装着して、脚部材の突出量を規制するロック部により機器の高さを調整するようにしたもの（特許文献１を参照）や、ボルト状の脚軸を昇降させてストッパ体により脚軸の長さを調整して機器の高さを調整するようにしたもの（特許文献２を参照）などが提案されている。
【０００４】
上述した調整脚は、いずれも高さ調節する為の脚の軸部が機器内部に設けられており、その軸部の長さを調節することにより高さを決めるようにされている。そして、このような調整脚を複数設けることで、高さ、前後方向の傾き、左右方向の傾き等の位置調整が可能となる。
【特許文献１】特開平１１−３１１３９７号公報（第１−６頁、図４）
【特許文献２】特開２００３−１４１９１号公報（第１−１２頁、図１）
【発明の開示】
【発明が解決しようとする課題】
【０００５】
しかしながら、従来の技術においては、機器の高さを調節するための軸部が機器の内部に入り込む為、内部の設計を行う際には調整脚の軸部を避けるように考慮する必要があり、その軸部を収納するスペースを確保するために必要以上に大きくなるという問題があった。
【０００６】
例えば、プロジェクタに位置調整機構を構成する場合は、通常、装置構成上プロジェクタ本体の下側に設けるため、プロジェクタ本体の高さが増加するという問題点があった。また、プロジェクタ投影の広い傾き調整範囲を確保するためには、プロジェクタと設置面との間にプロジェクタの傾き動作を許容する距離が必要であり、そのためにプロジェクタの高さが増大するという問題点があった。
また、上述したように装置本体が大型化することにより携行性も損なうという問題点があった。
【０００７】
本発明は、上記従来の問題点に鑑みてなされたものであり、設置する機器の内部構造に係わることなく、簡単な構成で高さや傾きの調整を可能にするとともに、コンパクト化を図り、携行性に優れた位置調整装置を提供することを目的とするものである。
【課題を解決するための手段】
【０００８】
本発明は、位置調整機構に係り、支持対象物に設けられ該支持対象物の姿勢を調整する位置調整機構であって、支持対象物を下方より支持するとともに設置するための支持体と、前記支持体上で前記支持対象物を保持するとともに、正面視で該支持対象物を左右に傾倒可能とし、且つ、正面側を上下方向に傾向可能とした支持対象物可動手段と、前記支持対象物可動手段に設けられ、該支持対象物可動手段の変位動作をガイドするためのガイド手段と、前記支持対象物を前記支持対象物可動手段とともに略水平に回動する支持対象物回動手段とを備えたことを特徴とするものである。
【０００９】
前記支持対象物可動手段には、前記ガイド手段の移動をガイドするガイド孔を形成することが好ましい。
【００１０】
また、前記位置調整機構は、前記支持体上で支持対象物を昇降する支持対象物昇降手段を備えることが好ましい。
【００１１】
さらに、前記支持対象物昇降手段として、支持対象物とともに支持対象物可動手段を移動可能に保持する昇降台と、前記昇降台を昇降するための昇降駆動部とを備えることが好ましい。
【００１２】
また、前記昇降台は、支持対象物可動手段と対向する部分が略球面状で外側に膨出した形状に形成され、前記支持対象物可動手段は、前記昇降台と対向する部分が該昇降台の対向する部分と同じ曲率で凹状に形成されることが好ましい。
【００１３】
さらに、また、前記昇降台に、前記ガイド手段の移動をガイドするためのガイド孔を形成し、前記ガイド手段を、前記昇降台のガイド孔に沿って移動可能とすることが好ましい。
【００１４】
また、前記ガイド孔を、平面視で前記支持対象物可動手段に形成されたガイド孔と略垂直方向に沿った方向で形成することが好ましい。
【００１５】
さらに、前記昇降駆動部は、該昇降駆動部が支持対象物可動手段およびガイド手段と干渉しない位置まで昇降台を上昇可能としたことが好ましい。
【発明の効果】
【００１６】
本発明の位置調整機構によれば、機器の内部構造に係わることなく、簡単な構成で高さや傾きの調整を容易にできるとともに、コンパクト化を図り、携行性に優れた位置調整装置を実現できるという優れた効果を奏し得る。
【００１７】
詳しくは、本発明の位置調整機構によれば、支持対象物（例えば、プロジェクタ）に設けられ該支持対象物の姿勢を調整する位置調整機構であって、支持対象物を下方より支持するとともに設置するための支持体（例えば、ベース）と、前記支持体上で前記支持対象物を保持するとともに、正面視で該支持対象物を左右に傾倒可能とし、且つ、正面側を上下方向に傾向可能とした支持対象物可動手段（例えば、チルト可動台）と、前記支持対象物可動手段に設けられ、該支持対象物可動手段の変位動作をガイドするためのガイド手段（例えば、チルトガイド）と、前記支持対象物を前記支持対象物可動手段とともに略水平に回動する支持対象物回動手段（例えば、回転台）とを備えることで、支持体により安定した状態で支持対象物を設置し、支持対象物可動手段により支持対象物を上下左右にチルト可能にするとともに、支持対象物回動手段により水平方向でのスイベル（回転）を可能にすることができる。
【００１８】
前記支持対象物可動手段に、前記ガイド手段の移動をガイドするガイド孔（例えば、長孔）を形成することで、該ガイド孔に沿って、支持対象物可動手段とガイド手段とを特定方向（例えば、支持対象物の正面を前方とした場合の左右方向）へ相対的に変位させることができる。
【００１９】
また、前記位置調整機構に、前記支持体上で支持対象物を昇降する支持対象物昇降手段を備えたことで、支持対象物の位置調整を行う時には、支持対象物可動手段を支持体から上昇させて位置調整を行い易くし、位置調整を行わない時には、支持対象物可動手段を下降させて支持体内に収納することで、位置調整機構をコンパクトにすることができ、携帯性に優れた位置調整機構を実現できる。
【００２０】
さらに、前記支持対象物昇降手段として、支持対象物とともに支持対象物可動手段を移動可能に保持する昇降台と、前記昇降台を昇降するための昇降駆動部とを備えることで、簡単な構成で支持対象物可動手段を昇降させることができる。
【００２１】
また、前記昇降台の形状を、支持対象物可動手段と対向する部分が略球面状で外側に膨出した形状に形成し、前記支持対象物可動手段の形状を、前記昇降台と対向する部分が該昇降台の対向する部分と同じ曲率で凹状に形成することで、支持対象物可動手段が昇降台上を移動するだけで、任意に該支持対象物可動手段の傾き量を調整することができる。
【００２２】
さらに、また、前記昇降台に、前記ガイド手段の移動をガイドするためのガイド孔（例えば、長孔）を形成し、前記ガイド手段を、前記昇降台のガイド孔に沿って移動可能とすることで、該ガイド孔に沿って、昇降台とガイド手段とを一特定方向（例えば、支持対象物の正面を前方とした場合の前後方向）へ相対的に変位させることができる。
【００２３】
また、前記ガイド孔を、平面視で前記支持対象物可動手段に形成されたガイド孔と略垂直方向に沿った方向で形成することで、例えば、正面視で支持対象物の正面前を上下方向のチルト調整を可能にするとともに、正面に対して左右方向のチルト調整すなわち左右の傾きの調整を可能にできる。
【００２４】
さらに、前記昇降駆動部を、該昇降駆動部が支持対象物可動手段およびガイド手段と干渉しない位置まで昇降台を上昇可能とすることで、昇降台を上昇させた状態で、支持対象物可動手段による位置調整が可能となり、昇降台を下降させた状態で、支持対象物可動手段を支持体内に収納できるので、装置構成をコンパクトにすることができる。
【発明を実施するための最良の形態】
【００２５】
以下、本発明の最良の実施形態について図面を参照して詳細に説明する。
図１は本発明の実施形態に係る位置調整機構が設けられたプロジェクタの構成を示す説明図、図２は前記位置調整機構の構成を示す平面図、図３は図２のＡ−Ａ断面を９０°転回して示すＡ−Ａ断面図矢視図、図４は図２のＢ−Ｂ断面図矢視図である。
【００２６】
本実施形態は、図１に示すように、支持対象物としてのプロジェクタ２に本発明に係る位置調整機構１を設けたものである。
【００２７】
本実施形態に係る位置調整機構１は、図１、図２に示すように、主に、プロジェクタ２を下方より支持するとともに所定位置に設置するための支持体としてのベース３と、前記プロジェクタ２をベース３上で保持するとともに正面視でプロジェクタ２を左右に傾倒可能とし、且つ、正面側を上下方向に傾向可能とした支持対象物可動手段としてのチルト可動台４と、前記チルト可動台４に設けられ、該チルト可動台４の変位動作をガイドするためのガイド手段たるチルトガイド５と、プロジェクタ２をチルト可動台４とともに略水平に回動する支持対象物回動手段としての回転台６と、ベース３上でプロジェクタ２を昇降する支持対象物昇降手段として構成される昇降台７および該昇降台７を駆動する昇降駆動部たる昇降駆動軸８とにより構成されている。
【００２８】
ここで、プロジェクタ２を含む位置調整機構１を構成する各構成要素について詳細に説明する。
プロジェクタ２は、上下方向に偏平の矩形体を呈し、前後方向と比較して左右幅方向に長く構成され、正面２ｃ（前側）には投射レンズ２ｅが設けられている。
【００２９】
次に、ベース３について説明する。
ベース３は、図１、図２に示すように、側面視で略台形状を呈するとともに、その側壁３ｃが外側に膨出した湾曲面で構成された略円筒形状、具体的には、略球体の上部を切断し、さらにその上部の球面部を切断して形成された皿状のものを伏せた様な形状を呈し、その上端部３ａの径寸法が下端部３ｂの径寸法よりも小さく形成されたものである。
【００３０】
前記ベース３の上端部３ａは、取付け部としてプロジェクタ２が配置され、下端部３ｂは、任意の設置箇所に設置される部位である。
【００３１】
前記ベース３の中央部には、図３、図４に示すように、筒状に凹んだ収納部３ｄが形成されている。前記収納部３ｄの底部３ｅには回転台６が配置される。
【００３２】
前記収納部３ｄの側壁３ｆには、図５、図６に示すように、回転台６を駆動するための回転台駆動部１１が設けられている。
【００３３】
ここで、回転台駆動部１１について説明する。
図５は前記位置調整機構の一部を構成する回転台駆動部の構成を示す説明図、図６は前記回転台駆動部の構成を示す側面断面図である。
【００３４】
回転台駆動部１１は、図５、図６に示すように、駆動モータ１１ａと、該駆動モータ１１ａに取付けられて回転台６を回動するためのギア１１ｂとを備え、回転台６の側方に近接して配置されている。
【００３５】
次に、回転台６について説明する。
回転台６は、側壁６ａが筒状に形成され、その一端側に底部６ｂを有する短い筒状体を呈している。その側壁６ａは、ベース３の収納部３ｄの深さ（側壁３ｆの高さ）と略同等の高さで形成されている。
【００３６】
また、前記側壁６ａの外周部には、図５、図６に示すように、全周に渡り前記回転台駆動部１１のギア１１ｂと噛み合うギア部６ｃが形成されている。
【００３７】
前記回転台６の底部６ｂには、図２、図３に示すように、円柱状を呈する昇降駆動軸８と、該昇降駆動軸８と平行に配置された２本のガイド軸９，９とが側壁６ａ寄りで、且つ、平面視で円周方向に略３等配の位置で上方に向かい突設されている。
【００３８】
前記昇降駆動軸８と２本のガイド軸９，９は、前記回転台６の側壁６ａの高さと略同等の高さで形成されている。
【００３９】
次に、昇降台７について説明する。
昇降台７は、図３、図４に示すように、図中の下側が開口形成されるとともに、上側には略球面状に外側に膨出した外周壁７ａが形成されている。
【００４０】
前記外周壁７ａは、図１、図３に示すように、後側寄りの昇降駆動軸８が嵌装される部分には、該昇降駆動軸８が螺合される筒状の駆動軸係合部７ｃが裏側に向かい突出形成され、一方、前側寄りのガイド軸９，９が嵌装される部分には、該ガイド軸９，９が摺動自在に嵌合される筒状の昇降台側保持部７ｄが裏側に向かい突出形成されている。
【００４１】
また、前記外周壁７ａには、図２〜図４に示すように、膨出した外周壁７ａの頂部７ｂを通り、その頂部７ｂを中心として平面視で直線的に長く形成された長孔状のガイド孔１７が形成されている。
【００４２】
このガイド孔１７は、図２、図４に示すように、本実施形態では位置調整機構１にプロジェクタ２を搭載した際に、ガイド孔１７の長手方向が該プロジェクタ２の前後方向に沿った方向となるように構成され、その幅寸法は、後記するチルトガイド５のガイド部５ａが摺動可能に嵌装されるようになっている。
【００４３】
また、前記外周壁７ａの裏側には、後記するチルトガイド５の昇降台側保持部５ｃをガイドするためのリブ７ｅが、ガイド孔１７を挟んで２箇所に該ガイド孔１７の長手方向と平行で、且つ、下方に向かい突出して延設されている。この２箇所のリブ７ｅ，７ｅ間の寸法は、昇降台側保持部５ｃが摺動可能な寸法となっている。
【００４４】
そして、図４に示すように、このガイド孔１７の中心位置にチルトガイド５が配置された時、プロジェクタ２が該プロジェクタ２の前後方向に沿った方向で設置面に対して略平行になるようにされている。
【００４５】
また、昇降台７には、図４に示すように、チルトガイド５を移動するためのチルトガイド駆動部１２が設けられている。
【００４６】
チルトガイド駆動部１２は、駆動モータ１２ａと、該駆動モータ１２ａに取付けられてチルトガイド５を移動するためのギア１２ｂとを備え、側面視で該昇降台７裏側の略中央部で該チルトガイド５に近接した位置に設けられている。
【００４７】
次に、チルト可動台４について説明する。
チルト可動台４は、昇降台７の上部の外周壁７ａに沿って摺動自在に配置されている。このチルト可動台４は、図３、図４に示すように、図中の上側が開口形成された略皿状を呈し、下側に底部４ｂが形成され、その底部４ｂの外周端から上方に向かい逆円錐状に拡開形成された側壁４ａが形成されている。
【００４８】
前記側壁４ａの上端部４ａ１は平坦に形成され、この上端部４ａ１上にプロジェクタ２を搭載するように構成されている。
【００４９】
前記底部４ｂは、昇降台７の外周壁７ａと同形状の曲率で側壁４ａの内側（図中上側に向かい）に膨出した形状で形成され、該昇降台７の外周壁７ａに沿って該底部４ｂの裏側面４ｂ１を摺動自在に構成されている。
【００５０】
また、前記底部４ｂには、図２に示すように、その膨出した中央部の頂部４ｃを通り、その頂部４ｃを中心として平面視で直線的に長く形成された長孔状のガイド孔１４が形成されている。
【００５１】
前記ガイド孔１４は、図２に示すように、本実施形態では前述した昇降台７のガイド孔１７に対して略垂直方向（プロジェクタ２の左右幅方向）に沿った方向に長く形成され、その幅寸法は、後記するチルトガイド５のガイド部５ａが摺動可能に嵌装されるようになっている。
【００５２】
前記底部４ｂの外側には、後記するチルトガイド５の可動台側保持部５ｂをガイドするためのリブ４ｅ，４ｅが、ガイド孔１４を挟んで２箇所に該ガイド孔１４の長手方向と平行で、且つ、上方に向かい突出して延設されている。この２箇所のリブ４ｅ，４ｅ間の寸法は、可動台側保持部５ｂが摺動可能な寸法となっている。
【００５３】
そして、前記ガイド孔１４の中心位置にチルトガイド５が配置された時、プロジェクタ２が該プロジェクタ２の左右方向に沿った方向で設置面に対して略平行になるようにされている。
【００５４】
また、前記底部４ｂの外側面には、図３に示すように、前記ガイド孔１４の長手方向に沿った向きと平行に、後記するチルト可動台駆動部１３のギア１３ｂと対向する位置に該ギア１３ｂと噛み合うギア部４ｄが形成されている。
【００５５】
次に、チルトガイド５について説明する。
チルトガイド５は、図３、図４に示すように、昇降台７のガイド孔１７とチルト可動台４のガイド孔１４とを挿通してチルト可動台４と昇降台７との移動をガイドするガイド部５ａと、チルト可動台４の底部４ｂの外側（図中の上側）に配置された可動台側保持部５ｂと、昇降台７の外周壁７ａの裏側（図中の下側）に配置された昇降台側保持部５ｃとを一体的に構成したものであって、昇降台７の外周壁７ａにチルト可動台４を重ね合わせた状態で、前記チルト可動台４と昇降台７とを摺動可能に挟持するものである。
【００５６】
前記昇降台側保持部５ｃは、図２に示すように、平面視で略矩形状を呈し、その上側面５ｃ１は、昇降台７の外周壁７ａと同形状の曲率で内側に湾曲した形状で形成され、チルト可動台４の底部４ｂに沿って摺動自在に構成されている。
【００５７】
また、前記昇降台側保持部５ｃの下側面５ｃ２は、図４に示すように、ガイド孔１７の長手方向に沿った向きと平行に、チルトガイド駆動部１２のギア１２ｂと噛み合うギア部５ｄが形成されている。
【００５８】
前記可動台側保持部５ｂは、図２に示すように、平面視で略矩形状を呈し、その下側面５ｂ２は、チルト可動台４の底部４ｂと同形状の曲率で内側に湾曲した形状で形成され、チルト可動台４の底部４ｂに沿って摺動自在に構成されている。
【００５９】
また、前記可動台側保持部５ｂには、図３に示すように、図示しないブラケットを介して、チルト可動台４を移動するためのチルト可動台駆動部１３が設けられている。
【００６０】
チルト可動台駆動部１３は、駆動モータ１３ａと、該駆動モータ１３ａに取付けられてチルト可動台４を移動するためのギア１３ｂとを備え、チルト可動台４の底部４ｂに近接して設けられている。
【００６１】
次に、本実施形態の位置調整機構１によるプロジェクタ２の位置調整について図面を参照して説明する。
【００６２】
まず、位置調整機構１の起動時の動作について説明する。
図７は本実施形態に係る位置調整機構の起動時のチルト可動台駆動部付近の状態を示す説明図、図８は前記位置調整機構の起動時のチルトガイド駆動部付近の状態を示す説明図である。
【００６３】
位置調整機構１の起動は、図７に示すように、昇降駆動軸８を所定方向に回転させることで、該昇降駆動軸８と螺合された駆動軸係合部７ｃを上方へ移動させて昇降台７を上昇させる。この起動動作により、昇降台７は、ガイド軸９に沿って予め設定された基準位置まで上昇する。
【００６４】
この時、昇降台７の外周壁７ａは、ベース３の上端部３ａおよび回転台６の側壁６ａよりも上方に位置するとともに、昇降駆動軸８とガイド軸９の上端部は、昇降台７の外周壁７ａの表面より突出することなく、チルト可動台４の移動範囲より下方に位置している。
【００６５】
また、チルト可動台駆動部１３は、図７に示すように、チルト可動台４の側壁４ａとチルトガイド５の可動台側保持部５ｂとの間の略中間に位置している。
【００６６】
さらに、チルトガイド駆動部１２は、図８に示すように、チルトガイド５の昇降台側保持部５ｃの略中央部に位置している。
【００６７】
次に、位置調整機構１によるプロジェクタ２の正面２ｃ側の上下方向のチルト調整について説明する。
図９は本実施形態に係る位置調整機構によるプロジェクタ正面の上下方向チルト動作の基準位置を示す説明図、図１０は前記位置調整機構により一方にチルトした状態を示す説明図である。
【００６８】
位置調整機構１によりプロジェクタ２の正面２ｃ側（前側）上下方向にチルト調整を行う場合は、図９の状態から、チルトガイド駆動部１２の駆動モータ１２ａを駆動してギア１２ｂを回転させて、ギア１２ｂと噛み合う昇降台側保持部５ｃのギア部５ｄをプロジェクタ前後方向に沿って送り、チルトガイド５を前後方向に移動させる。
【００６９】
図９に示すように、チルトガイド５の基準位置が昇降台７の外周壁７ａの最も高い位置となっているため、図１０に示すように、例えば、チルトガイド５を昇降台７の前側に移動すると、該チルトガイド５の移動とともにチルト可動台４は昇降台７の略球面状に湾曲した外周壁７ａに沿って漸次斜め下方に向かい傾斜した状態となる。
【００７０】
このようにして、チルト可動台４が下方に向かい傾斜することで、プロジェクタ２は正面２ｃ側を下方に向けて傾斜した状態となる。
【００７１】
プロジェクタ２の正面２ｃ側を上方に向けて傾斜する場合は、上記と逆方向に、すなわち、チルトガイド５を昇降台７の後側に移動して、該チルトガイド５とともにチルト可動台４を昇降台７の後側に移動させることで、プロジェクタ２の正面２ｃ側を上方に向けて傾斜させることができる。
こうして、プロジェクタ２の正面２ｃ側の上下方向のチルト調整を行う。
【００７２】
次に、位置調整機構１によるプロジェクタ２の左右方向のチルト調整について説明する。
図１１は本実施形態に係る位置調整機構による左右チルト動作の基準位置を示す説明図、図１２は前記位置調整機構により一方にチルトした状態を示す説明図である。
【００７３】
位置調整機構１によりプロジェクタ２の左右方向にチルト調整を行う場合は、図１１の状態から、チルト可動台駆動部１３の駆動モータ１３ａを駆動してギア１３ｂを回転させて、ギア１３ｂと噛み合うチルト可動台４のギア部４ｄをプロジェクタ２の左右方向に沿って送り、チルト可動台４を左右方向に移動させる。
【００７４】
図１１に示すように、チルト可動台４の基準位置が昇降台７の外周壁７ａの最も高い位置となっているため、図１２に示すように、例えば、チルト可動台４を昇降台７の左側に移動すると、昇降台７の略球面状に湾曲した外周壁７ａに沿って漸次左側が下方に傾斜した状態となる。
【００７５】
このようにして、チルト可動台４の左側が下方に向かい傾斜することで、プロジェクタ２は左側を下方に向けて傾斜した状態となる。
【００７６】
プロジェクタ２の右側を下方に傾斜させる場合は、上記と逆方向に、すなわち、チルト可動台４を昇降台７の右側に移動することで、プロジェクタ２の右側を下方に向かい傾斜させることができる。
こうして、プロジェクタ２の左右方向のチルト調整を行う。
【００７７】
次に、位置調整機構１によるプロジェクタ２のスイベル（回転）調整について説明する。
位置調整機構１によりプロジェクタ２のスイベル調整を行う場合は、まず、図５、図６に示すように、回転台駆動部１１の駆動モータ１１ａを駆動してギア１１ｂを回転させ、回転台６の側壁６ａに形成されたギア部６ｃを回動させることで、回転台６をベース３の設置面に対して水平に回転させる。
【００７８】
チルト可動台４と昇降台７とは、チルトガイド５により一体的に挟持され、その昇降台７は、回転台に設けられた昇降駆動軸８およびガイド軸９，９により上下方向にのみ移動可能に構成されているので、回転台６が回転することで、その上部に設けられた前記昇降台７、チルト可動台４、チルトガイド５およびチルト可動台４に搭載されたプロジェクタ２を回転台６の回転動作と連動して設置面に対して水平に回転させることができる。
こうして、プロジェクタ２のスイベル調整を行う。
【００７９】
以上のように構成したので、本実施形態によれば、簡単な構成で容易にプロジェクタ２の３軸調整、すなわち、上下方向の向き、左右の傾きおよび水平回転による位置の調整を行うことができる。
【００８０】
本実施形態では、昇降駆動軸８により昇降台７を昇降自在に構成し、昇降台７を上昇させた状態でプロジェクタ２の位置調整を行い、昇降台７を下降させた状態で位置調整機構１を収納するようにしたので、装置をコンパクトに構成でき、携行性に優れた位置調整機構を実現できる。
【００８１】
また、本実施形態では、昇降台７の上側の外周壁７ａを略球面状に外側に膨出した形状とし、チルト可動台４の底部４ｂを前記昇降台７の外周壁７ａと同形状の曲率で凹状に形成したので、昇降台７上でチルト可動台４を前後左右に移動するだけで、任意に上下左右の傾き量を調整することができる。
【００８２】
なお、本実施形態では、前記昇降台７とチルト可動台４の摺動面を外側上方に膨出した形状としているが、本発明は、この構成に限定されるものではなく、例えば、昇降台７とチルト可動台４の摺動面を下側に凹んだ形状としたものであっても良く、この構成においても、本実施形態と同様な作用効果を奏し得る。
【００８３】
また、本実施形態では、チルトガイド５によりチルト可動台４の動作をガイドするように構成し、チルト可動台４、昇降台７に形成されたガイド孔１４、１７の長手方向に沿って、それぞれチルトガイド５の動きを規制するリブ４ｅ，７ｅを構成したので、チルト可動台４の前後方向、左右方向の動作をガタつくことなく確実に行うことができる。
【００８４】
また、本実施形態では、プロジェクタ１の上下方向の向き、左右の傾きおよび水平回転による位置の調整を行うために、回転台駆動部１１、チルトガイド駆動部１２およびチルト可動台駆動部１３を設け、それぞれモータ駆動により調整を行うようにしたので、より簡単にプロジェクタ２の位置調整を行うことができる。
【００８５】
なお、前記回転台駆動部１１、チルトガイド駆動部１２およびチルト可動台駆動部１３の動作制御は、ソフト的あるいは電気的、または機械的に自動制御するようにしたものであっても良い。
【００８６】
このように、本発明の位置調整機構は、上述した実施形態やその他に記載した構成に限定されるものではなく、本発明の要旨を逸脱しない範囲内において、支持体（ベース）、支持対象物可動手段（チルト可動台）、ガイド手段（チルトガイド）、支持対象物回動手段（回転台）、支持対象物昇降手段（昇降台および昇降駆動軸）等の構成に種々変更を加え得ることは勿論である。
【図面の簡単な説明】
【００８７】
【図１】本発明の実施形態に係る位置調整機構が設けられたプロジェクタの構成を示す説明図である。
【図２】前記位置調整機構の構成を示す平面図である。
【図３】図２のＡ−Ａ断面を９０°転回して示すＡ−Ａ断面図矢視図である。
【図４】図２のＢ−Ｂ断面図矢視図である。
【図５】前記位置調整機構の一部を構成する回転台駆動部の構成を示す説明図である。
【図６】前記回転台駆動部の構成を示す側面断面図である。
【図７】前記位置調整機構の起動時のチルト可動台駆動部付近の状態を示す説明図である。
【図８】前記位置調整機構の起動時のチルトガイド駆動部付近の状態を示す説明図である。
【図９】本実施形態に係る位置調整機構によるプロジェクタ正面の上下方向チルト動作の基準位置を示す説明図である。
【図１０】前記位置調整機構により一方にチルトした状態を示す説明図である。
【図１１】前記位置調整機構による左右チルト動作の基準位置を示す説明図である。
【図１２】前記位置調整機構により一方にチルトした状態を示す説明図である。
【符号の説明】
【００８８】
１  位置調整機構
２  プロジェクタ（支持対象物）
３  ベース（支持体）
４  チルト可動台（支持対象物可動手段）
４ｄ  ギア部
４ｅ  リブ
５  チルトガイド（ガイド手段）
５ａ  ガイド部
５ｂ  可動台側保持部
５ｃ  昇降台側保持部
５ｄ  ギア部
６  回転台（支持対象物回動手段）
６ｃ  ギア部
７  昇降台（支持対象物昇降手段）
７ｅ  リブ
８  昇降駆動軸（支持対象物昇降手段）
９  ガイド軸
１１  回転台駆動部
１２  チルトガイド駆動部
１３  チルト可動台駆動部
１４、１７  ガイド孔
【図１】
2005181634.tif 000003
【図２】
2005181634.tif 000004
【図３】
2005181634.tif 000005
【図４】
2005181634.tif 000006
【図５】
2005181634.tif 000007
【図６】
2005181634.tif 000008
【図７】
2005181634.tif 000009
【図８】
2005181634.tif 000010
【図９】
2005181634.tif 000011
【図１０】
2005181634.tif 000012
【図１１】
2005181634.tif 000013
【図１２】
2005181634.tif 000014